(57)【特許請求の範囲】
【請求項１】
バッテリーパックを管理するバッテリー管理システムであって、
前記バッテリーパックに含まれた二次電池を管理するＮ（Ｎは２以上の自然数）個のバッテリー管理ユニット；
前記バッテリー管理システムを制御する外部装置にデータを送信できるように各バッテリー管理ユニットに電気的に連結されたＮ本の通信ライン；
前記外部装置と前記バッテリー管理システムとを電気的に絶縁しながら信号を伝達する絶縁素子；
制御信号によって前記Ｎ本の通信ラインのうちいずれか１本の通信ラインを前記絶縁素子と選択的に連結する選択的連結装置；を含み、
前記各バッテリー管理ユニットは、時分割によって２以上のデータを伝送し、
前記選択的連結装置は、
スイッチ；及び
前記スイッチに制御信号を出力するスイッチ制御器；を含み、
前記スイッチ制御器は、前記外部装置と前記絶縁素子を介して連結され、前記外部装置によって制御される
ことを特徴とするバッテリー管理システム。
【請求項２】
前記選択的連結装置は、演算装置である
ことを特徴とする請求項１に記載のバッテリー管理システム。
【請求項３】
前記絶縁素子は、フォトカプラである
ことを特徴とする請求項１に記載のバッテリー管理システム。
【請求項４】
前記各バッテリー管理ユニットと通信ラインとの間に電気的に連結されたレベルシフトをさらに含む
ことを特徴とする請求項１に記載のバッテリー管理システム。
【請求項５】
前記各バッテリー管理ユニットは、データ伝送準備区間及びデータ伝送区間のスタートポイントで信号のロジッグレベルが変化するＡＤＳＹＮＣを用いて時分割によって２以上のデータを伝送し、
前記ＡＤＳＹＮＣとは、前記バッテリー管理ユニットと前記外部装置との間でデータを送受信するための一種の通信プロトコルであって、データ伝送準備区間とデータ伝送区間が１つの周期を成し、前記データ伝送準備区間と前記データ伝送区間とを区分するため、前記データ伝送準備区間及び前記データ伝送区間のスタートポイントで信号のロジッグレベルが変化し、前記データ伝送準備区間では高いロジッグレベル信号（Ｈ）が、前記データ伝送区間では低いロジッグレベルの信号（Ｌ）が出力される
ことを特徴とする請求項１に記載のバッテリー管理システム。
【請求項６】
前記ＡＤＳＹＮＣのデータ伝送区間に含まれる２以上のデータは、それぞれのデータの幅が同じである
ことを特徴とする請求項５に記載のバッテリー管理システム。
【請求項７】
前記ＡＤＳＹＮＣのデータ伝送区間に含まれる２以上のデータは、前記データ伝送区間のスタートポイントに近いデータの幅よりスタートポイントから遠いデータの幅が広い
ことを特徴とする請求項５に記載のバッテリー管理システム。
【請求項８】
前記データの幅は、前記データ伝送区間のスタートポイントに近いデータの幅より前記データ伝送区間のスタートポイントから遠いデータの幅が５％以上増加した
ことを特徴とする請求項７に記載のバッテリー管理システム。
【請求項９】
前記ＡＤＳＹＮＣのデータ伝送区間には、前記データの間に境界を示すパルスが含まれた
ことを特徴とする請求項５に記載のバッテリー管理システム。
【請求項１０】
前記Ｎ個のバッテリー管理ユニットは、隣接した他のバッテリー管理ユニットとの同期化のために両者を電気的に連結させる同期化ラインをさらに含む
ことを特徴とする請求項１に記載のバッテリー管理システム。
【請求項１１】
前記Ｎ個のバッテリー管理ユニットは、ＡＤＳＹＮＣによって同期化を行い、
前記ＡＤＳＹＮＣとは、前記バッテリー管理ユニットと前記外部装置との間でデータを送受信するための一種の通信プロトコルであって、データ伝送準備区間とデータ伝送区間が１つの周期を成し、前記データ伝送準備区間と前記データ伝送区間とを区分するため、前記データ伝送準備区間及び前記データ伝送区間のスタートポイントで信号のロジッグレベルが変化し、前記データ伝送準備区間では高いロジッグレベル信号（Ｈ）が、前記データ伝送区間では低いロジッグレベルの信号（Ｌ）が出力される
ことを特徴とする請求項１０に記載のバッテリー管理システム。
【請求項１２】
前記Ｎ個のバッテリー管理ユニットは、それぞれフリーランＡＤＳＹＮＣを出力し、出力されたフリーランＡＤＳＹＮＣのうちいずれか１つのフリーランＡＤＳＹＮＣに同期化される
ことを特徴とする請求項１１に記載のバッテリー管理システム。
【請求項１３】
前記Ｎ個のバッテリー管理ユニットは、前記Ｎ個のバッテリー管理ユニットが出力したフリーランＡＤＳＹＮＣのうち、前記データ伝送準備区間の幅及びＡＤＳＹＮＣ周期の幅が最も狭いフリーランＡＤＳＹＮＣに同期化される
ことを特徴とする請求項１２に記載のバッテリー管理システム。
【発明の詳細な説明】
【技術分野】
【０００１】
本発明は、２次保護信号及び診断信号を伝送できるバッテリー管理システムに関し、より詳しくは、少ない数の絶縁素子を使用して２次保護信号及び診断信号を伝送できるバッテリー管理システムに関する。
【０００２】
本出願は、２０１３年１０月２５日出願の韓国特許出願第１０−２０１３−０１２７９０５号及び２０１４年１０月１５日出願の韓国特許出願第１０−２０１４−０１３９３２９号に基づく優先権を主張し、該当出願の明細書及び図面に開示された内容は、すべて本出願に援用される。
【背景技術】
【０００３】
製品群毎の適用性が高く、高いエネルギー密度などの電気的特性を有する二次電池は、携帯用機器だけでなく、電気的駆動源によって駆動する電気自動車（ＥＶ；Ｅｌｅｃｔｒｉｃ Ｖｅｈｉｃｌｅ）またはハイブリッド自動車（ＨＶ；Ｈｙｂｒｉｄ Ｖｅｈｉｃｌｅ）、電力貯蔵装置（Ｅｎｅｒｇｙ Ｓｔｏｒａｇｅ Ｓｙｓｔｅｍ）などに普遍的に用いられている。このような二次電池は、化石燃料の使用を画期的に減少させるという一次的な長所だけでなく、エネルギーの使用による副産物が全く発生しないという点で環境にやさしく、エネルギー効率向上のための新たなエネルギー源として注目されている。
【０００４】
このような二次電池は、正極及び負極集電体、セパレータ、活物質、電解液などを含み、構成要素間の電気化学的反応によって充放電を繰り返すことができる。一例として、広く使用されるリチウムポリマー二次電池の場合、約３．７Ｖ〜４．２Ｖの動作電圧を有している。したがって、前記電気自動車などに適用される高出力バッテリーパックを得るためには、複数の単位二次電池セル（ｃｅｌｌ）を直列で連結してバッテリーパックを構成する。
【０００５】
このような基本的な構造に加えて、前記バッテリーパックには、モーターなどの駆動負荷に対する電力供給の制御、電流または電圧などの電気的特性値の測定、充放電制御、電圧の平滑化（ｅｑｕａｌｉｚａｔｉｏｎ）制御、ＳＯＣ（Ｓｔａｔｅ Ｏｆ Ｃｈａｒｇｅ）の推定などのためのアルゴリズムが適用され、二次電池の状態をモニタリングし制御するＢＭＳ（Ｂａｔｔｅｒｙ Ｍａｎａｇｅｍｅｎｔ Ｓｙｓｔｅｍ）などがさらに含まれて構成される。
【０００６】
一方、近来、エネルギー貯蔵源としての活用を含めて大容量構造に対する要求が高まるとともに、複数の二次電池セルを含むバッテリーモジュールを集合させたマルチモジュール構造のバッテリーパックに対する需要が伸びている。
【０００７】
このようなマルチモジュール構造のバッテリーパックは、多数の二次電池セルを含むため、一つのＢＭＳを使用して全ての二次電池セルまたは複数のバッテリーモジュールの充放電状態を制御するには限界がある。したがって、近年は、バッテリーパックに含まれているバッテリーモジュール毎にバッテリー管理ユニット（Ｂａｔｔｅｒｙ Ｍａｎａｇｅｍｅｎｔ Ｕｎｉｔ）を装着し、これらをスレーブユニットに指定した後、スレーブユニットを制御するマスターユニットをさらに装着するマスター・スレーブ方式によって各バッテリーモジュールの充放電を制御する技術が用いられている。
【０００８】
図１は、外部装置１０と従来技術によるＢＭＳ１００とが連結された状態を概略的に示したブロック図である。
【０００９】
図１を参照すれば、８つのスレーブユニット２１０と１つのマスターユニット２１１を含むＢＭＳ１００が確認できる。そして、前記ＢＭＳ１００は複数の二次電池セル１１１が直列で連結されたバッテリーパック１１０と連結されている。前記ＢＭＳ１００は前記バッテリーパック１１０の充電及び放電を制御し、さらに前記バッテリーパック１１０に含まれた二次電池セル１１１の電圧などを測定する。前記ＢＭＳ１００は外部装置１０から充電及び放電に関連する制御信号を受信し、二次電池セル１１１の状態に関連するデータを送信する。なお、前記バッテリーパック１１０は、上述したように、電気自動車などに適用される高出力バッテリーパックを得るために複数の単位二次電池セルを直列で連結した構成を有しているため、前記ＢＭＳ１００と前記外部装置１０とは電気的に絶縁することで高電圧による前記外部装置１０の故障を防止する。
【００１０】
このような目的から、前記ＢＭＳ１００と前記外部装置１０とは電気的に絶縁されながらも電気的信号の送受信が自在なフォトカプラ（Ｐｈｏｔｏ Ｃｏｕｐｌｅｒ）を使用して連結される。
【００１１】
前記フォトカプラは、オプトカプラ（ｏｐｔｏ−ｃｏｕｐｌｅｒ）とも称される。前記フォトカプラは発光源（入力）と光検出器（出力）からなるスイッチング素子である。一般に、発光源としては赤外線発光ダイオード（ＬＥＤ）が使用され、光検出器としては光に反応してターンオンするフォトダイオードやフォトトランジスタが使用される。したがって、入力側に電流が流れれば、発光源で光を発散し、出力側素子であるフォトダイオードやフォトトランジスタがターンオンされる。すなわち、電気的カップリングではなく、光によってターンオンまたはターンオフされるスイッチング素子である。
【００１２】
前記フォトカプラを使用してＢＭＳ１００と外部装置１０とを連結する場合、前記ＢＭＳ１００と前記外部装置１０とが電気的に絶縁されるという長所がある。また、データ信号を伝達する役割を果たすと同時に、バッテリーパック１１０の高電圧電流が前記外部装置１０側に流れる逆電流を防止でき、バッテリーパック１１０の充放電過程で発生する電磁波の影響を低減させることができる。
【００１３】
一方、マスター・スレーブ方式で運営されるＢＭＳの場合、マスターユニット２１１に故障が生じる場合に備えて、スレーブユニット２１０が二次電池セル１１１に関する情報を直接外部装置１０に伝達する構成を有することもある。図１には、マスターユニット２１１に故障が生じる場合に備えて、各スレーブユニット２１０が前記外部装置１０に伝送する３種のデータが示されている。
【００１４】
前記スレーブユニット２１０から伝送する「２ｎｄ ＰＲＯＴ」信号は、二次電池セル１１１が予め設定された電圧以上に過充電されたことを示す信号である。前記スレーブユニット２１０から伝送する「Ｕｎｄｅｒ Ｖ ＰＲＯＴ」信号は、二次電池セル１１１が予め設定された電圧以下に過放電したことを示す信号である。前記スレーブユニット２１０から伝送する「Ｄｉａｇ」信号は、スレーブユニット２１０自体の故障診断を通じた異常発生如何を示す信号である。
【００１５】
このように、各スレーブユニット２１０が３種のデータをそれぞれ前記外部装置１０に伝送し、このようなスレーブユニット２１０が８つあると仮定すれば、前記外部装置１０とスレーブユニット２１０とを連結するためのフォトカプラは全部で２４つが必要となる。しかし、前記フォトカプラは他の電気電子素子に比べてかなり高価であるため、ＢＭＳの製造コストが嵩む要因にもなる。
【００１６】
したがって、ＢＭＳ１００と外部装置１０との絶縁状態を維持しながらも、ＢＭＳ１００に含まれたスレーブユニット２１０の信号を外部装置１０に伝送できるバッテリー管理システムに対する研究が求められている。
【発明の概要】
【発明が解決しようとする課題】
【００１７】
本発明は、上記問題点に鑑みてなされたものであり、少ない数の絶縁素子を使用して２次保護信号及び診断信号を伝送できるバッテリー管理システムを提供することを目的とする。
【課題を解決するための手段】
【００１８】
上記の課題を達成するため、本発明によるバッテリー管理システムは、バッテリーパックを管理するシステムであって、前記バッテリーパックに含まれた二次電池を管理するＮ（Ｎは２以上の自然数）個のバッテリー管理ユニット；前記バッテリー管理システムを制御する外部装置にデータを送信できるように各バッテリー管理ユニットに電気的に連結されたＮ本の通信ライン；前記外部装置と前記バッテリー管理システムとを電気的に絶縁しながら信号を伝達する絶縁素子；制御信号によって前記Ｎ本の通信ラインのうちいずれか１本の通信ラインを前記絶縁素子と選択的に連結するスイッチ；及び前記スイッチに制御信号を出力するスイッチ制御器；を含み、前記各バッテリー管理ユニットは、時分割によって２以上のデータを伝送する。
【００１９】
本発明による前記絶縁素子は、フォトカプラになり得る。
【００２０】
本発明によるバッテリー管理システムは、前記各バッテリー管理ユニットと通信ラインとの間に電気的に連結されたレベルシフトをさらに含むことができる。
【００２１】
本発明によるバッテリー管理システムのうちスイッチ制御器を含むバッテリー管理システムにおいて、前記スイッチ制御器は前記外部装置と絶縁素子を介して連結され、前記外部装置によって制御され得る。
【００２２】
本発明の一実施例によれば、前記各バッテリー管理ユニットは、データ伝送準備区間及びデータ伝送区間のスタートポイントで信号のロジッグレベルが変化するＡＤＳＹＮＣを用いて時分割によって２以上のデータを伝送する。
【００２３】
このとき、前記ＡＤＳＹＮＣのデータ伝送区間に含まれる２以上のデータは、それぞれのデータの幅が同じであり得、前記データ伝送区間のスタートポイントに近いデータの幅よりスタートポイントから遠いデータの幅が広いこともあり得る。後者の場合、前記データの幅は前記データ伝送区間のスタートポイントに近いデータの幅より前記データ伝送区間のスタートポイントから遠いデータの幅が５％以上増加し得る。
【００２４】
一方、前記ＡＤＳＹＮＣのデータ伝送区間には、前記データの間に境界を示すパルスが含まれ得る。
【００２５】
本発明の一実施例によれば、前記Ｎ個のバッテリー管理ユニットは、隣接した他のバッテリー管理ユニットとの同期化のために両者を電気的に連結させる同期化ラインをさらに含むことができる。このとき、前記Ｎ個のバッテリー管理ユニットは、ＡＤＳＹＮＣによって同期化を行うことができる。
【００２６】
前記Ｎ個のバッテリー管理ユニットは、それぞれフリーラン（ｆｒｅｅ−ｒｕｎ）ＡＤＳＹＮＣを出力し、出力されたフリーランＡＤＳＹＮＣのうちいずれか１つのフリーランＡＤＳＹＮＣに同期化されるが、前記Ｎ個のバッテリー管理ユニットは、前記Ｎ個のバッテリー管理ユニットが出力したフリーランＡＤＳＹＮＣのうち、データ伝送準備区間の幅及びＡＤＳＹＮＣ周期の幅が最も狭いフリーランＡＤＳＹＮＣに同期化され得る。
【発明の効果】
【００２７】
本発明によれば、少ない数の絶縁素子を使用してバッテリー管理システムと外部装置とを連結することができる。
【００２８】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２９】
【図１】外部装置と従来技術によるＢＭＳとが連結された状態を概略的に示したブロック図である。
【図２】本発明によるバッテリー管理システムの構成を概略的に示したブロック図である。
【図３】本発明によるバッテリー管理システムの構成を概略的に示したブロック図である。
【図４】本発明によるバッテリー管理システムの構成を概略的に示したブロック図である。
【図５】本発明によるバッテリー管理システムの構成を概略的に示したブロック図である。
【図６】本発明によるバッテリー管理システムの構成を概略的に示したブロック図である。
【図７】ＡＤＳＹＮＣの構成を示した波形図である。
【図８】本発明によるバッテリー管理ユニットが出力するフリーランＡＤＳＹＮＣを示した波形図である。
【図９】本発明の一実施例による同期化されたフリーランＡＤＳＹＮＣの波形図である。
【発明を実施するための形態】
【００３０】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３１】
図２ないし図６は、本発明によるバッテリー管理システム１０１〜１０５の構成を概略的に示したブロック図である。
【００３２】
以下、図２ないし図６を参照して本発明によるバッテリー管理システム１０１〜１０５を説明するが、同じ部材番号を有する構成は同じ機能を果たす構成要素として理解せねばならない。したがって、各構成要素についての詳しい説明は後述し、各実施例による相違点を中心にまず説明する。
【００３３】
まず、図２に示された本発明による第１実施例を説明する。理解の便宜上、本発明の第１実施例によるバッテリー管理システム１０１と図１に示された従来技術によるバッテリー管理システム１００を一緒に参照する。図２に示されたバッテリー管理ユニット３１０はそれぞれ１本の通信ライン３３０と連結されている。すなわち、従来技術と違って、伝送しようとするデータの個数によって通信ラインの個数が増加することはない。各バッテリー管理ユニット３１０が１本の通信ライン３３０を介して外部装置１０にデータを伝送することが第１実施例の特徴である。したがって、前記各バッテリー管理ユニット３１０は時分割によって２以上のデータを伝送する。
【００３４】
そして、前記各バッテリー管理ユニット３１０は絶縁素子を介して１：１で前記外部装置１０に連結される。本発明において、前記絶縁素子はフォトカプラ３２０であり得る。前記フォトカプラ３２０についての説明は上述したため、繰り返される説明は省略する。
【００３５】
図３に示された本発明による第２実施例を説明する。理解の便宜上、本発明の第２実施例によるバッテリー管理システム１０２と図２に示された第１実施例によるバッテリー管理システム１０１を一緒に参照する。
【００３６】
本発明の第２実施例によるバッテリー管理システム１０２は、第１実施例によるバッテリー管理システム１０１と比べて、前記バッテリー管理ユニット３１０と外部装置１０とを連結するフォトカプラ（上端に示された３２０）の個数が１つに減っている。また、前記バッテリー管理ユニット３１０と外部装置１０とを選択的に連結するため、スイッチ３５０及びスイッチ制御器３４０を含む選択的連結装置が適用されたことが確認できる。そして、スイッチ制御器３４０を制御するための制御用フォトカプラ（下端に示された３２０）が１つ加えられたことが確認できる。したがって、フォトカプラ３２０は全部で２つになる。
【００３７】
前記スイッチ３５０は、前記スイッチ制御器３４０の制御信号によって前記通信ライン３３０のうちいずれか１本の通信ラインを前記フォトカプラ３２０と選択的に連結する役割をする。このとき、前記スイッチ制御器３４０は前記外部装置１０とフォトカプラ３２０を介して連結され、前記外部装置１０によって制御され得る。前記スイッチ３５０を介して前記フォトカプラ３２０と連結された通信ライン３３０が設けられたバッテリー管理ユニット３１０は、前記外部装置１０にデータを伝送することができる。
【００３８】
次いで、図４に示された本発明による第３実施例を説明する。理解の便宜上、本発明の第３実施例によるバッテリー管理システム１０３と図３に示された第２実施例によるバッテリー管理システム１０２を一緒に参照する。
【００３９】
本発明の第３実施例によるバッテリー管理システム１０３は、前記バッテリー管理ユニット３１０と外部装置１０とを連結するための選択的連結装置が、スイッチ３５０及びスイッチ制御器３４０を含む形態から演算装置３６０に代替されていることが確認できる。
【００４０】
前記演算装置３６０は、前記バッテリー管理ユニット３１０と前記フォトカプラ３２０とを自由に且つ選択的に連結することができる。前記演算装置３６０の構成要素は、論理回路を含む電子回路モジュールに具体化され得る。電子回路モジュールの一例としては、注文型半導体（ＡＳＩＣ）が挙げられるが、本発明がこれによって限定されることはない。
【００４１】
前記演算装置３６０を通じて前記フォトカプラ３２０と連結された通信ライン３３０が設けられたバッテリー管理ユニット３１０は、前記外部装置１０にデータを伝送することができる。
【００４２】
次いで、図５に示された本発明による第４実施例を説明する。理解の便宜上、本発明の第４実施例によるバッテリー管理システム１０４と図４に示された第３実施例によるバッテリー管理システム１０３を一緒に参照する。
【００４３】
本発明の第４実施例によるバッテリー管理システム１０４は、前記バッテリー管理ユニット３１０と外部装置１０とを連結する構成が、演算装置３６０から信号混合器３７０に代替されていることが確認できる。
【００４４】
前記信号混合器３７０とは、Ｎ個のデータ信号を混合して１つの信号に出力する装置を意味する。前記信号混合器３７０は、本発明が属する技術分野で通常の知識を持つ者に周知された公知の構成要素であるため、詳細な説明は省略する。
【００４５】
前記信号混合器３７０は、前記Ｎ本の通信ライン３３０の全てとそれぞれ電気的に連結される。そして、それぞれのバッテリー管理ユニット３１０から受信した信号を１つの信号に混合する。したがって、前記Ｎ個のバッテリー管理ユニット３１０が出力した信号が１つの信号に混合されて前記外部装置１０に伝送される。
【００４６】
図６に示された本発明による第５実施例を説明する。理解の便宜上、本発明の第５実施例によるバッテリー管理システム１０５と図５に示された第４実施例によるバッテリー管理システム１０４を一緒に参照する。
【００４７】
本発明の第５実施例によるバッテリー管理システム１０５は、１本の通信ライン３３０を介して前記各バッテリー管理ユニット３１０と信号混合器３７０とが電気的に連結されていることが確認できる。したがって、前記Ｎ個のバッテリー管理ユニット３１０が出力した信号を前記信号混合器が順次受信して１つの信号に混合した後、前記外部装置１０に伝送する。
【００４８】
本発明による実施例の説明において、前記外部装置１０と前記バッテリー管理システム１０１〜１０５とを連結する素子としてフォトカプラ３２０を示した。前記フォトカプラ３２０は、前記外部装置１０と前記バッテリー管理システム１０１〜１０５とを電気的に絶縁しながら信号を伝達する絶縁素子の一例である。したがって、絶縁素子の一例として示された前記フォトカプラ３２０によって本発明の範囲が制限されることはない。
【００４９】
一方、本発明によるバッテリー管理システム１０１〜１０５は、前記各バッテリー管理ユニット３１０と通信ライン３３０との間に電気的に連結されたレベルシフト３９０をさらに含むことができる。レベルシフト３９０とは、入力された信号を所望の範囲の電位値に出力する装置である。レベルシフト３９０については本発明が属する技術分野で公知の素子であるため、詳細な説明は省略する。
【００５０】
本発明によるバッテリー管理システム１０１〜１０５は、Ｎ個のバッテリー管理ユニット３１０を含む。前記Ｎ個のバッテリー管理ユニット３１０は、バッテリーパック１１０に含まれた二次電池１１１を管理する。バッテリー管理ユニット３１０による二次電池１１１の管理とは、充放電電流、各二次電池１１１の電圧または電流を含む電気的特性値の測定、充放電制御、電圧の平滑化制御、ＳＯＣの推定などを含み、当業者水準で適用可能な多様な制御を行うことを意味する。
【００５１】
一方、前記バッテリーパック１１０は、１つ以上の二次電池１１１を含むものであり、二次電池１１１の種類は特に限定されない。それぞれの二次電池は、再充電自在であって、充電または放電電圧を考慮してリチウムイオン電池、リチウムポリマー電池、ニッケルカドミウム電池、ニッケル水素電池、ニッケル亜鉛電池などで構成できる。また、前記バッテリーパック１１０に含まれる二次電池１１１の個数は、求められる出力電圧または充電容量に応じて多様に設定することができる。しかし、本発明が二次電池１１１の種類、出力電圧、充電容量などによって限定されることはない。また、図２ないし図６には前記二次電池１１１が全て直列で連結された実施例を示したが、本発明が前記二次電池１１１の連結方法によって制限されることはない。
【００５２】
本発明によるバッテリー管理ユニット３１０は従来技術と異なって、２以上のデータを１本の通信ライン３３０を介して伝送する。したがって、２以上のデータを時分割によって１つのデータ信号として出力する。そのため、本発明によるバッテリー管理ユニット３１０は、２以上のデータをデータ伝送準備区間及びデータ伝送区間のスタートポイントで信号のロジッグレベルが変化するＡＤＳＹＮＣを用いて時分割によって２以上のデータを伝送することができる。
【００５３】
前記ＡＤＳＹＮＣとは、前記バッテリー管理ユニット３１０と前記外部装置１０との間でデータを送受信するための一種の通信プロトコルである。すなわち、２以上のデータを予め定められた方法によって前記バッテリー管理ユニット３１０が伝送し、前記外部装置１０は前記予め定められた方法によって２以上のデータを受信及び解読する。
【００５４】
図７はＡＤＳＹＮＣの構成を示した波形図である。
【００５５】
前記ＡＤＳＹＮＣはデータ伝送準備区間とデータ伝送区間が１つの周期を成す。前記データ伝送準備区間とデータ伝送区間とを区分するため、ＡＤＳＹＮＣはデータ伝送準備区間及びデータ伝送区間のスタートポイントで信号のロジッグレベルが変化する。前記データ伝送準備区間では高いロジッグレベル信号（Ｈ）が、前記データ伝送区間では低いロジッグレベルの信号（Ｌ）が出力され得る。前記高いロジッグレベルは５Ｖ、低いロジッグレベルは０Ｖに設定され得るが、本発明がこのような例示に限定されることはない。一方、図示されたデータ伝送準備区間は予め設定された最小幅であり、１周期は予め設定されたＡＤＳＹＮＣ周期の最小幅であると理解すれば良い。
【００５６】
前記ＡＤＳＹＮＣによって同期化されたバッテリー管理ユニット３１０及び外部装置１０は、前記データ伝送区間では収集したデータを予め設定された幅内で送受信することができる。図７に示されたデータ伝送区間のスタートポイントから「２ｎｄ ＰＲＯＴ」、「Ｕｎｄｅｒ Ｖ ＰＲＯＴ」及び「Ｄｉａｇ」を順次伝送することができる。勿論、前記データの伝送順序は多様に設定され得る。
【００５７】
一方、ＡＤＳＹＮＣ周期とは、前記データ伝送準備区間とデータ伝送区間からなる１周期の信号を意味する（ＡＤＳＹＮＣの周期＝データ伝送準備区間＋データ伝送区間）。
【００５８】
前記ＡＤＳＹＮＣのデータ伝送区間に含まれる２以上のデータは、それぞれのデータの幅が同一であっても良く、異なっても良い。
【００５９】
前記ＡＤＳＹＮＣのデータ伝送区間に含まれる２以上のデータの幅が異なる場合、前記データ伝送区間のスタートポイントに近いデータの幅よりスタートポイントから遠いデータの幅がより広くなる。一例として、前記データの幅は前記データ伝送区間のスタートポイントに近いデータの幅より前記データ伝送区間のスタートポイントから遠いデータの幅が５％増加する。
【００６０】
データを受信する側、すなわち外部装置１０又はデータを送信する側、すなわちバッテリー管理システム１０２で、ＲＣオシレーターを使用して信号を検出または送信するとき、送受信間に約５％以上の誤差が発生し得る。勿論、優れた性能のＲＣオシレーターを使用すれば誤差が減少するはずであるが、その分ＲＣオシレーターの価格が上昇する。したがって、２以上のデータを伝送するとき、各データの幅を、例えば、５％ずつ増加させることで、高性能のＲＣオシレーターを使用しなくても、誤差発生を勘案してデータを通信することができる。−５％〜＋５％の誤差が発生したのに一定幅でデータを送信した場合は、送受信可能なデータの個数が９個以下に制限される。
【００６１】
図７から各データの幅を少しずつ増加させてデータを伝送することが確認できる。また、前記ＡＤＳＹＮＣのデータ伝送区間には前記データの間に境界を示すパルスが含まれ得る。このとき、増加されたデータの幅は実際適用されるシステムで予想される誤差が大きい場合、その幅を大きくする。
【００６２】
一方、本発明による前記バッテリー管理ユニット３１０は、隣接した他のバッテリー管理ユニットとの同期化のために両者を電気的に連結させる同期化ラインをさらに含むことができる。このとき、前記バッテリー管理ユニット３１０はＡＤＳＹＮＣによって同期化を行う。
【００６３】
各バッテリー管理ユニットが電圧を測定するか又は自己診断するタイミングが相異なる場合、電圧測定などが適切に行われないか又は電圧測定などによって得られたデータが外部装置１０に役立たないことがあり得る。したがって、バッテリー管理システム１０１〜１０５には全てのバッテリー管理ユニット３１０が同期化された動作及びデータの送信が求められる。
【００６４】
そのため、前記バッテリー管理ユニット３１０の間に連結された同期化ラインを通じてフリーランＡＤＳＹＮＣを出力する。本明細書においてフリーランＡＤＳＹＮＣとは、バッテリー管理ユニット３１０同士を同期化するための予備信号である。
【００６５】
図８は、本発明によるバッテリー管理ユニット３１０が出力するフリーランＡＤＳＹＮＣを示した波形図である。
【００６６】
図８を参照すれば、バッテリー管理ユニット１〜８が出力したフリーランＡＤＳＹＮＣの各データ伝送準備区間の幅及びＡＤＳＹＮＣ周期の幅がそれぞれ異なることが確認できる。このような各バッテリー管理ユニット３１０のフリーランＡＤＳＹＮＣは前記同期化ラインを通じてすべてのバッテリー管理ユニット３１０が相互確認できる。
【００６７】
このとき、本発明による前記バッテリー管理ユニット３１０は、出力されたフリーランＡＤＳＹＮＣのうちいずれか１つのフリーランＡＤＳＹＮＣに同期化される。
【００６８】
本発明の一実施例によれば、前記バッテリー管理ユニット３１０は前記複数のバッテリー管理ユニット３１０が出力したフリーランＡＤＳＹＮＣのうちデータ伝送準備区間の幅及びＡＤＳＹＮＣ周期の幅が最も狭いフリーランＡＤＳＹＮＣに同期化される。
【００６９】
図９は、本発明の一実施例による同期化されたフリーランＡＤＳＹＮＣの波形図である。
【００７０】
図８及び図９を一緒に参照すれば、図８に示されたユニット８のデータ伝送準備区間の幅が最も狭く、フリーランＡＤＳＹＮＣの１周期が最も短いことが確認できる。したがって、本発明の一実施例によって前記ユニット８のフリーランＡＤＳＹＮＣに前記ユニット１及びユニット２のフリーランＡＤＳＹＮＣが同期化されたことを図９から確認できる。
【００７１】
その後、同期化されたＡＤＳＹＮＣの周期に合わせて各バッテリー管理ユニット３１０は二次電池１１１の電圧を測定するか又は故障を診断する。また、前記外部装置１０にデータを伝送する際、自分のデータを伝送する順番の判断にも使用できる。
【００７２】
本発明によれば、少ない数の絶縁素子を使用してバッテリー管理システムと外部装置とを連結することができる。
【００７３】
一方、本発明の説明において、図２ないし図６に示された本発明の各構成要素は、物理的に区分される構成要素というよりは、論理的に区分される構成要素として理解されねばならない。
【００７４】
すなわち、各構成要素は、本発明の技術思想を実現するための論理的な構成要素に該当するため、各構成要素が統合または分離されても、本発明の論理構成が果たす機能を実現できれば、本発明の範囲内であると解釈されねばならず、同一または類似機能を果たす構成要素であれば、その名称の一致如何とは関係なく、本発明の範囲内であると解釈されねばならないことは勿論である。
【００７５】
以上、本発明を限定された実施例と図面によって説明したが、本発明はこれらによって限定されず、本発明が属する技術分野で通常の知識を持つ者にとって、本発明の技術思想と特許請求の範囲の均等範囲内で多様な修正及び変形が可能であることは勿論である。
【符号の説明】
【００７６】
１０２  バッテリー管理システム
３１０  バッテリー管理ユニット
３２０  フォトカプラ
３３０  通信ライン
３４０  スイッチ制御器
３５０  スイッチ
【図１】
0006271005.tif 000002
【図２】
0006271005.tif 000003
【図３】
0006271005.tif 000004
【図４】
0006271005.tif 000005
【図５】
0006271005.tif 000006
【図６】
0006271005.tif 000007
【図７】
0006271005.tif 000008
【図８】
0006271005.tif 000009
【図９】
0006271005.tif 000010